【手続補正書】
【提出日】平成30年9月21日(2018.9.21)
【手続補正１】
【補正対象書類名】明細書
【補正対象項目名】発明の名称
【補正方法】変更
【補正の内容】
【発明の名称】情報処理装置、画像処理装置、制御方法、及びプログラム
【手続補正２】
【補正対象書類名】明細書
【補正対象項目名】００１５
【補正方法】変更
【補正の内容】
【００１５】
そこで、本発明では、文字が読み進められるように並べられた向きが異なるコンテンツが合わさった印刷物の生成にかかるユーザの手間を抑止することができる情報処理装置、画像処理装置、制御方法、及びプログラムを提供することを目的とする。
【手続補正３】
【補正対象書類名】明細書
【補正対象項目名】００１６
【補正方法】変更
【補正の内容】
【００１６】
上記課題を解決するための第１の発明は、印刷物のコンテンツを生成する情報処理装置であって、所定の向きに読み進められるように並べられた文字を含むコンテンツ、及び前記所定の向きと異なる向きに読み進められるように並べられた文字を含むコンテンツを記憶する記憶手段と、前記記憶手段に記憶された何れか一方の向きに読み進められるように並べられた文字を含むコンテンツのページの並べ替えを行う編集手段と、前記編集手段によりページの並べ替えを行ったコンテンツと読み進められるように並べられた文字の向きが異なるコンテンツとを結合する結合手段と、前記結合手段により結合されたコンテンツの文字が読み進められるように並べられた向きに基づいて、前記結合されたコンテンツを用いて生成される印刷物を開く向きを設定する設定手段と、を備えたことを特徴とする。
【手続補正４】
【補正対象書類名】明細書
【補正対象項目名】００１７
【補正方法】変更
【補正の内容】
【００１７】
上記課題を解決するための第２の発明は、印刷物のコンテンツを生成する情報処理装置の制御方法であって、前記情報処理装置は、所定の向きに読み進められるように並べられた文字を含むコンテンツ、及び前記所定の向きと異なる向きに読み進められるように並べられた文字を含むコンテンツを記憶する記憶手段に記憶された何れか一方の向きに読み進められるように並べられた文字からなるコンテンツのページの並べ替えを行う編集ステップと、前記編集ステップによりページの並べ替えを行ったコンテンツと読み進められるように並べられた文字の向きが異なるコンテンツとを結合する結合ステップと、前記結合ステップにより結合されたコンテンツの文字が読み進められるように並べられた向きに基づいて、前記結合されたコンテンツを用いて生成される印刷物を開く向きを設定する設定ステップと、を実行することを特徴とする。
【手続補正５】
【補正対象書類名】明細書
【補正対象項目名】００１８
【補正方法】変更
【補正の内容】
【００１８】
上記課題を解決するための第３の発明は、コンピュータを、所定の向きに読み進められるように並べられた文字を含むコンテンツ、及び前記所定の向きと異なる向きに読み進められるように並べられた文字を含むコンテンツを記憶する記憶手段と、前記記憶手段に記憶された何れか一方の向きに読み進められるように並べられた文字を含むコンテンツのページの並べ替えを行う編集手段と、前記編集手段によりページの並べ替えを行ったコンテンツと読み進められるように並べられた文字の向きが異なるコンテンツとを結合する結合手段と、前記結合手段により結合されたコンテンツの文字が読み進められるように並べられた向きに基づいて、前記結合されたコンテンツを用いて生成される印刷物を開く向きを設定する設定手段と、して機能させるためのプログラムである。
【手続補正６】
【補正対象書類名】明細書
【補正対象項目名】００１９
【補正方法】変更
【補正の内容】
【００１９】
本発明では、文字が読み進められるように並べられた向きが異なるコンテンツが合わさった印刷物の生成にかかるユーザの手間を抑止することができる、という効果を奏する。
【手続補正７】
【補正対象書類名】特許請求の範囲
【補正対象項目名】全文
【補正方法】変更
【補正の内容】
【特許請求の範囲】
【請求項１】
印刷物のコンテンツを生成する情報処理装置であって、
所定の向きに読み進められるように並べられた文字を含むコンテンツ、及び前記所定の向きと異なる向きに読み進められるように並べられた文字を含むコンテンツを記憶する記憶手段と、
前記記憶手段に記憶された何れか一方の向きに読み進められるように並べられた文字を含むコンテンツのページの並べ替えを行う編集手段と、
前記編集手段によりページの並べ替えを行ったコンテンツと読み進められるように並べられた文字の向きが異なるコンテンツとを結合する結合手段と、
前記結合手段により結合されたコンテンツの文字が読み進められるように並べられた向きに基づいて、前記結合されたコンテンツを用いて生成される印刷物を開く向きを設定する設定手段と、
を備えたことを特徴とする情報処理装置。
【請求項２】
前記設定手段は、前記結合手段により結合されたコンテンツの文字が読み進められるように並べられた向きとページ順とに基づいて、前記結合されたコンテンツを用いて生成される印刷物を開く向きを設定することを特徴とする請求項１に記載の情報処理装置。
【請求項３】
前記編集手段は、一方の向きに読み進められるように並べられた文字を含むコンテンツのページ数に基づいて、当該コンテンツのページの並べ替えを行うことを特徴とする請求項１または２に記載の情報処理装置。
【請求項４】
複数のコンテンツのうち文字の読み進められるように並べられた向きが異なるコンテンツが存在するか否かを判定する判定手段を備え、
前記編集手段は、前記判定手段により文字の読み進められるように並べられた向きが異なるコンテンツが存在すると判定した場合は、何れの向きに読み進められるように並べられた文字からなるコンテンツのページの並べ替えを行うことを特徴とする請求項１乃至３の何れか１項に記載の情報処理装置。
【請求項５】
前記編集手段は、一方の向きに読み進められるように並べられた文字からなるコンテンツのページ数と、前記一方の向きと異なる向きに読み進められるように並べられた文字からなるコンテンツのページ数と、を比較して、ページ数の少ないコンテンツのページの並べ替えを行うことを特徴とする請求項４に記載の情報処理装置
【請求項６】
複数のコンテンツから、前記一方の向きに読み進められるように並べられた文字からなるコンテンツと、前記一方の向きと異なる向きに読み進められるように並べられた文字からなるコンテンツと、を分類する分類手段と、
前記編集手段は、前記分類手段で分類された一方の分類に含まれるコンテンツのページの並べ替えを行うことを特徴とする請求項１乃至５の何れか１項に記載の情報処理装置。
【請求項７】
所定の向きに読み進められるように並べられた文字からなるコンテンツ、及び前記所定の向きと異なる向きに読み進められるように並べられた文字を含むコンテンツを記憶する記憶手段と、
前記記憶手段に記憶された何れか一方の向きに読み進められるように並べられた文字からなるコンテンツのページの並べ替えを行う編集手段と、
前記編集手段によりページの並べ替えを行ったコンテンツと読み進められるように並べられた文字の向きが異なるコンテンツとを結合する結合手段と、
前記結合手段により結合されたコンテンツの文字が読み進められるように並べられた向きに基づいて、前記結合されたコンテンツを用いて生成される印刷物を開く向きを設定する設定手段と、
を備えたことを特徴とする画像処理装置。
【請求項８】
印刷物のコンテンツを生成する情報処理装置の制御方法であって、
前記情報処理装置は、
所定の向きに読み進められるように並べられた文字を含むコンテンツ、及び前記所定の向きと異なる向きに読み進められるように並べられた文字を含むコンテンツを記憶する記憶手段に記憶された何れか一方の向きに読み進められるように並べられた文字からなるコンテンツのページの並べ替えを行う編集ステップと、
前記編集ステップによりページの並べ替えを行ったコンテンツと読み進められるように並べられた文字の向きが異なるコンテンツとを結合する結合ステップと、
前記結合ステップにより結合されたコンテンツの文字が読み進められるように並べられた向きに基づいて、前記結合されたコンテンツを用いて生成される印刷物を開く向きを設定する設定ステップと、
を実行することを特徴とする情報処理装置の制御方法。
【請求項９】
コンピュータを、
所定の向きに読み進められるように並べられた文字を含むコンテンツ、及び前記所定の向きと異なる向きに読み進められるように並べられた文字を含むコンテンツを記憶する記憶手段と、
前記記憶手段に記憶された何れか一方の向きに読み進められるように並べられた文字を含むコンテンツのページの並べ替えを行う編集手段と、
前記編集手段によりページの並べ替えを行ったコンテンツと読み進められるように並べられた文字の向きが異なるコンテンツとを結合する結合手段と、
前記結合手段により結合されたコンテンツの文字が読み進められるように並べられた向きに基づいて、前記結合されたコンテンツを用いて生成される印刷物を開く向きを設定する設定手段と、
して機能させるためのプログラム。